(57)【要約】【課題】  ＣＵＥ信号処理回路からの出力をより安定にすることができる音声多重復調回路を提供する。【解決手段】  音声多重信号から制御チャネル信号を抽出する第１バンドパスフィルタ３１と、第１バンドパスフィルタ３１から出力されたチャネル信号をＡＭ復調しＣＵＥ信号を抽出するＡＭ復調回路３２と、ＡＭ復調回路３２の出力信号に基づいてＣＵＥ信号を矩形波に変換するコンパレータ３４と、コンパレータ３４から出力されたＣＵＥ信号パルスと予め設定された基準周波とに基づいてＣＵＥ信号がステレオモードかバイリンガルモードかを判別する判別部４１，４４及び、前記判別部４１，４４の出力信号の変化に基づいて前記基準周波の周波数を変更する制御部４７，４８を備えた制御チャネル信号判別回路３５とを有する。【選択図】        図１
2006115133.tif 000002
【特許請求の範囲】
【請求項１】
音声多重信号から主チャネル信号を抽出する主チャネル信号処理回路と、
前記音声多重信号から副チャネル信号を抽出する副チャネル信号処理回路と、
前記主チャネル信号処理回路と前記副チャネル信号処理回路の出力を入力するマトリクスと、
前記マトリクスの出力を所与の制御信号に基づいて制御するコントロール回路と、
前記音声多重信号から制御チャネル信号を抽出し、該制御チャネル信号の特徴値と所与の基準値とを比較することにより該制御チャネル信号の種類をステレオモードであるかバイリンガルモードであるか判別して、該種類に応じた信号を前記所与の制御信号として前記コントロール回路に出力する制御チャネル信号処理回路と、を有し、
前記制御チャネル信号処理回路は、前記制御チャネル信号の種類に応じた前記信号に応じて前記所与の基準値を変化させる制御部を備えた制御チャネル信号判別回路を有すること、
を特徴とする音声多重復調回路。
【請求項２】
請求項１に記載の音声多重復調回路において、
前記制御チャネル信号処理回路は、
前記音声多重信号から前記制御チャネル信号を抽出するバンドパスフィルタと、
前記バンドパスフィルタから出力された前記制御チャネル信号をＡＭ復調するＡＭ復調回路と、をさらに有し、
前記制御チャネル信号判別回路は、前記ＡＭ復調回路の出力信号の周波数を前記特徴値とし、該特徴値と前記所与の基準値とを比較することにより前記制御チャネル信号の種類に応じた信号を生成し、出力する判別部をさらに有すること、
を特徴とする音声多重復調回路。
【請求項３】
請求項２に記載の音声多重復調回路において、
前記判別部は、前記特徴値が前記所与の基準値よりも高い場合にステレオモードを示す信号を生成し、前記特徴値が前記所与の基準値よりも低い場合にバイリンガルモードを示す信号を出力し、
前記制御部は、前記制御チャネル信号の種類がステレオモードである場合に、前記所与の基準値を小さな第１の値に変更し、前記制御チャネル信号の種類がバイリンガルモードである場合に、前記所与の基準値を大きな第２の値に変更するスイッチング回路を有すること、
を特徴とする音声多重復調回路。
【請求項４】
請求項３に記載の音声多重復調回路において、
前記判別部は、所定の場合に、ステレオモード又はバイリンガルモードとは異なるモードを示す信号を出力し、
前記スイッチング回路は、前記ステレオモード又はバイリンガルモードとは異なるモードを示す信号が前記判別部から出力される場合に、前記所与の基準値を前記第１の値と前記第２の値の中間に設定すること、
を特徴とする音声多重復調回路。
【請求項５】
音声多重信号から主チャネル信号を抽出する主チャネル信号処理回路と、
前記音声多重信号から副チャネル信号を抽出する副チャネル信号処理回路と、
前記主チャネル信号処理回路と前記副チャネル信号処理回路の出力を入力するマトリクスと、
前記マトリクスの出力を所与の制御信号に基づいて制御するコントロール回路と、
前記音声多重信号から制御チャネル信号を抽出し、該制御チャネル信号の特徴値と所与の基準値とを比較することにより該制御チャネル信号の種類をステレオモードであるかバイリンガルモードであるか判別して、該種類に応じた信号を前記所与の制御信号として前記コントロール回路に出力する制御チャネル信号処理回路と、を有する音声多重復調回路における信号処理方法であって、
前記制御チャネル信号の種類に応じた前記信号に応じて前記所与の基準値を変化させることを特徴とする信号処理方法。
【発明の詳細な説明】
【技術分野】
【０００１】
本発明は、音声多重復調回路に関し、より詳しくは、テレビジョン音声用の音声多重信号を復調する音声多重復調回路に関する。
【背景技術】
【０００２】
テレビジョン音声に使用される音声多重信号には、主チャネル信号と副チャネル信号の他に、ステレオモードとバイリンガルモードのいずれかを識別するための制御チャネル信号が含まれている。制御チャネル信号は、水平同期周波数の３．５倍である約５５ｋＨｚの副搬送波をＣＵＥ信号でＡＭ変調したものであり、ＣＵＥ信号はステレオ放送かバイリンガル放送かに応じて異なる周波数を有する。基本的には、ＣＵＥ信号は、ステレオモード時には９８２．５Ｈｚ、バイリンガルモード時には９２２．５Ｈｚの正弦波である。
【０００３】
ＣＵＥ信号は音声多重復調回路におけるＣＵＥ信号処理回路により検出されてステレオモードかバイリンガルモードかの判別に用いられる。
【０００４】
従来の音声多重復調回路のＣＵＥ信号処理回路として例えば図７に示すような構成が採用されている。
【０００５】
図７に示すＣＵＥ信号処理回路１００は、音声多重信号を入力して約５５ｋＨ帯の信号を抽出する第１バンドパスフィルタ（ＢＰＦ）１０１と、第１バンドパスフィルタ１０１の出力信号をＡＭ復調するＡＭ復調回路１０２と、ＡＭ復調回路１０２の出力信号から９５２Ｈｚを中心周波数として所定周波数範囲の信号を抽出する第２バンドパスフィルタ（ＢＰＦ）１０３と、第２バンドパスフィルタ１０３から出力された信号に基づいてステレオモードかバイリンガルモードかを判別するＣＵＥ信号判別回路１０４を有している。
【０００６】
ＣＵＥ信号判別回路１０４は、コントロール回路１０５を介してステレオ又はバイリンガルのモード信号をマトリクス１０６に出力し、マトリクス１０６は、コントロール回路１０５の出力信号がステレオモード信号の場合には主チャネル信号と副チャネル信号をマトリクスして右側音声信号と左側音声信号を作成及び出力し、また、その出力信号がバイリンガルモード信号の場合には主チャネル信号を左側音声信号、副チャネル信号を右側音声信号として出力する。
【０００７】
ところで、ＣＵＥ信号判別回路１０４では、図８に示すように、９８２．５Ｈｚと９２２．５Ｈｚの中間である９５２．５Ｈｚの判別信号を用い、第２バンドパスフィルタ１０３から出力される信号の周波数が９５２．５Ｈｚよりも高周波の場合にはステレオモード信号を出力する一方、低周波の場合にはバイリンガルモード信号を出力する。
【発明の開示】
【発明が解決しようとする課題】
【０００８】
上述したＣＵＥ信号処理回路１００によれば、ＣＵＥ信号と判別信号の周波数差が比較的小さいために、弱電界時、外乱等によりＣＵＥ信号の周波数が乱れるとＣＵＥ信号判別回路１０４が誤判別を起こし易く、ステレオモードとバイリンガルモードの切り替えが不安定となる可能性が高くなる。
【０００９】
本発明の目的は、ＣＵＥ信号処理回路からの出力をより安定にすることができる音声多重復調回路を提供することにある。
【課題を解決するための手段】
【００１０】
本発明に係る音声多重復調回路は、音声多重信号から主チャネル信号を抽出する主チャネル信号処理回路と、前記音声多重信号から副チャネル信号を抽出する副チャネル信号処理回路と、前記主チャネル信号処理回路と前記副チャネル信号処理回路の出力を入力するマトリクスと、前記マトリクスの出力を所与の制御信号に基づいて制御するコントロール回路と、前記音声多重信号から制御チャネル信号を抽出し、該制御チャネル信号の特徴値と所与の基準値とを比較することにより該制御チャネル信号の種類をステレオモードであるかバイリンガルモードであるか判別して、該種類に応じた信号を前記所与の制御信号として前記コントロール回路に出力する制御チャネル信号処理回路と、を有し、前記制御チャネル信号処理回路が、前記制御チャネル信号の種類に応じた前記信号に応じて前記所与の基準値を変化させる制御部を備えた制御チャネル信号判別回路を有するものである。
【００１１】
他の本発明に係る音声多重復調回路においては、前記制御チャネル信号処理回路が、前記音声多重信号から前記制御チャネル信号を抽出するバンドパスフィルタと、前記バンドパスフィルタから出力された前記制御チャネル信号をＡＭ復調するＡＭ復調回路と、をさらに有し、前記制御チャネル信号判別回路が、前記ＡＭ復調回路の出力信号の周波数を前記特徴値とし、該特徴値と前記所与の基準値とを比較することにより前記制御チャネル信号の種類に応じた信号を生成し、出力する判別部をさらに有する。
【００１２】
本発明の好適な態様は、前記判別部が、前記特徴値が前記所与の基準値よりも高い場合にステレオモードを示す信号を生成し、前記特徴値が前記所与の基準値よりも低い場合にバイリンガルモードを示す信号を出力し、前記制御部が、前記制御チャネル信号の種類がステレオモードである場合に、前記所与の基準値を小さな第１の値に変更し、前記制御チャネル信号の種類がバイリンガルモードである場合に、前記所与の基準値を大きな第２の値に変更するスイッチング回路を有する音声多重復調回路である。
【００１３】
別の本発明に係る音声多重復調回路においては、前記判別部が、所定の場合に、ステレオモード又はバイリンガルモードとは異なるモードを示す信号を出力し、前記スイッチング回路が、前記ステレオモード又はバイリンガルモードとは異なるモードを示す信号が前記判別部から出力される場合に、前記所与の基準値を前記第１の値と前記第２の値の中間に設定する。
【００１４】
本発明に係る信号処理方法は、音声多重信号から主チャネル信号を抽出する主チャネル信号処理回路と、前記音声多重信号から副チャネル信号を抽出する副チャネル信号処理回路と、前記主チャネル信号処理回路と前記副チャネル信号処理回路の出力を入力するマトリクスと、前記マトリクスの出力を所与の制御信号に基づいて制御するコントロール回路と、前記音声多重信号から制御チャネル信号を抽出し、該制御チャネル信号の特徴値と所与の基準値とを比較することにより該制御チャネル信号の種類をステレオモードであるかバイリンガルモードであるか判別して、該種類に応じた信号を前記所与の制御信号として前記コントロール回路に出力する制御チャネル信号処理回路と、を有する音声多重復調回路におけるものであって、前記制御チャネル信号の種類に応じた前記信号に応じて前記所与の基準値を変化させる。
【発明の効果】
【００１５】
本発明によれば、バイリンガルモードとステレオモードのいずれのモードであるかを示す制御チャネル信号の特徴値との比較に用いられる基準値を、現在のモードに応じて変化させることによって、弱電界、外乱などで制御チャネル信号が不安定になっても、不必要にモードの判別結果が切り替わることが防止される。
【発明を実施するための最良の形態】
【００１６】
以下、本発明の実施の形態（以下実施形態という）について、図面に基づいて説明する。
【００１７】
図１は、本発明の一実施形態に係る音声多重復調回路を示す構成図である。
【００１８】
図１において、音声多重復調回路は主チャネル信号処理回路１０、副チャネル信号処理回路２０、ＣＵＥ信号処理回路３０、マトリクス１、コントロール回路２を有している。
【００１９】
主チャネル信号処理回路１０は、入力端ＩＮに入力する音声多重信号から信号帯域５０Ｈｚ〜１５ｋＨｚの主チャネル信号を抽出するローパスフィルタ（ＬＰＦ）１１と、ローパスフィルタ１１の出力信号にデエンファシスを行う第１デエンファシス回路１２を有している。第１デエンファシス回路１２の出力端はマトリクス１の一方の入力端に接続され、その入力端に主チャネル信号を出力するように構成されている。
【００２０】
副チャネル信号処理回路２０は、音声多重信号から信号帯域１６ｋＨｚ〜４７ｋＨｚの副チャネル信号を抽出するための副チャネル用バンドパスフィルタ（ＢＰＦ）２１と、副チャネル用バンドパスフィルタ２１の出力信号をＦＭ復調するＦＭ復調回路２２と、ＦＭ復調回路２２の出力信号にデエンファシスを行う第２デエンファシス回路２３を有し、第２デエンファシス回路２３の出力端はマトリクス１の他方の入力端に接続され、その入力端に副チャネル信号を出力するように構成されている。
【００２１】
ＣＵＥ信号処理回路３０は、約５５ｋＨｚの副搬送波をＡＭ変調した制御チャネル信号を音声多重信号から抽出する５５ｋＨｚの第１バンドパスフィルタ（ＢＰＦ）３１と、第１バンドパスフィルタ３１の出力信号をＡＭ復調するＡＭ復調回路３２と、ＡＭ復調回路３２の出力信号からＣＵＥ信号を抽出する中心周波数９５２Ｈｚの第２バンドパスフィルタ３３と、第２バンドパスフィルタ３３からの正弦波的なＣＵＥ信号を矩形波に変換するコンパレータ３４と、コンパレータ３４が出力するＣＵＥ信号に応じた周波数の矩形波に基づいてステレオモードかバイリンガルモードかを判別するＣＵＥ信号判別回路３５を有している。
【００２２】
クロックジェネレータ３６は、第１バンドパスフィルタ３１の出力信号を入力され、それに含まれる副搬送波に応じた約５５ｋＨｚのクロック信号ＣＬＫを生成して、ＣＵＥ信号判別回路３５へ出力するように構成されている。
【００２３】
ＣＵＥ信号判別回路３５は、例えば図２、図３、図４に示すような構成を有し、ステレオモードかバイリンガルモードかを判別するための基準周波の周波数（基準周波数）ｆb を変更可能に設定し、この基準周波に基づいてＣＵＥ信号の周波数がステレオモードかバイリンガルモードかを判別する。
【００２４】
図２に示すカウンタ４１は例えば１０個の出力端Ｑ10〜Ｑ1を有し、そのクロック端ＣＫには２分周器４２を介してクロックジェネレータ３６の出力端が接続され、さらにリセット端Ｒには３２分周回路４３を介してコンパレータ３４の出力端が接続されていて、ＣＵＥ信号の周波数に応じたパルスの立ち上がり毎にカウンタ４１はリセットされる。
【００２５】
ここで、コンパレータ３４から入力するＣＵＥ信号の周波数をｆcue、クロックジェネレータの発信周波数をｆckとすると、図５に示すように、カウンタ４１がリセットされる時点のカウンタ４１のカウント数ｎはｎ＝（ｆck／２）×（３２／ｆcue）となる。例えば、ｆck＝５５．０７ｋＨｚであってｎ＝９２５となった時にカウンタ４１がリセットされたとすればｆcue は９５２．６Ｈｚであり、またｎ＝９２７となった時にカウンタ４１がリセットされたとすればｆcue は９５０．５Ｈｚであり、さらにｎ＝９２３となった時にカウンタ４１がリセットされたとすればｆcueは９５４．６Ｈｚである。なお、カウント数ｎが９２５となるカウンタ４１の出力端の出力を「０」、「１」で示せば端子‘Ｑ10 Ｑ9 Ｑ8 Ｑ7 Ｑ6 Ｑ5 Ｑ4 Ｑ3 Ｑ2 Ｑ1’の出力は‘１１１００１１１０１’である。
【００２６】
そのようなカウンタ４１の各出力端Ｑ10〜Ｑ1は、予め選択されて第１、第２及び第３ＡＮＤゲート４４，４５，４６の入力端に接続されている。ＡＮＤゲート４４からＨレベル信号が出力される時点でのカウンタ４１のカウント数ｎに対応するＣＵＥ信号の周波数を基準周波数ｆbとする。
【００２７】
第１ＡＮＤゲート４４の８つの入力端には、カウンタ４１の出力端Ｑ10，Ｑ9，Ｑ8，Ｑ5，Ｑ4，Ｑ1が接続され、さらに、カウンタ４１の出力端Ｑ2が第１スイッチング回路４７を介して接続され、出力端Ｑ3が第２スイッチング回路４８を介して接続されている。ここで、第１スイッチング回路４７と第１ＡＮＤゲート４４の入力端Ｑ2の間と、第２スイッチング回路４８と第１ＡＮＤゲート４４の入力端Ｑ3の間にはそれぞれ抵抗素子４９，５０を介してＨレベルの電圧Ｖ1が印加されている。第１、第２スイッチング回路４７，４８は例えばトランジスタにより構成される。
【００２８】
第１スイッチング回路４７は後述するように、ＣＵＥ信号がバイリンガルモードとステレオモードのいずれかとなった状態でＯＮし、それ以外ではＯＦＦする一方、第２スイッチング回路４８は、音声信号がモノラルモード又は初期入力状態となるかＣＵＥ信号がステレオモードとなった状態でＯＮし、それ以外ではＯＦＦするように制御される。
【００２９】
これにより、第１ＡＮＤゲート４４は、カウンタ４１の出力端Ｑ10〜Ｑ1 が‘１１１００１１ＸＹ１’となった時点でＨレベル信号である「１」を出力する。ここで、‘Ｙ’は第１スイッチング回路４７により変更され、‘Ｘ’は第２スイッチング回路４８により変更される。例えば、初期入力状態やモノラルモードでは‘ＸＹ’は‘１０’となって基準周波数ｆb が９５２．５Ｈｚとなる。また、ステレオモードでは‘ＸＹ’は‘１１’となって基準周波数ｆbが９５０Ｈｚ程度となる。さらに、バイリンガルモードでは‘ＸＹ’は‘０１’となって基準周波数ｆbが９５５Ｈｚ程度となる。そのような基準周波数ｆbよりもＣＵＥ信号の周波数ｆcueが低い周波数になると第１ＡＮＤゲート４４はＨレベル信号である「１」を出力し、高い周波数になると第１ＡＮＤゲート４４はＬレベル信号である「０」を出力する。
【００３０】
第２ＡＮＤゲート４５は、カウンタ４１の出力端Ｑ10〜Ｑ1 が接続される１０個の入力端を有し、カウンタ４１の出力端Ｑ10〜Ｑ1が‘１１１１１１１１１１’となる場合にＨレベルの信号を出力する。従って、カウンタ４１のカウント数ｎが８６１となった場合、即ちＣＵＥ信号の周波数ｆcueが８６１Ｈｚより低周波の場合に「１」を出力し、それより高周波の場合に「０」を出力する。
【００３１】
第３ＡＮＤゲート４６は、その入力端にカウンタ４１の出力端Ｑ10，Ｑ9，Ｑ7、Ｑ4〜Ｑ1が接続されており、カウンタ４１の出力端Ｑ10〜Ｑ1が‘１１０１００１１１１’の場合にＨレベルの信号を出力する。従って、カウンタ４１のカウント数ｎが８４７となる場合、即ちＣＵＥ信号の周波数ｆcueが１０４０Ｈｚより低周波の場合に「１」を出力し、それより高周波の場合に「０」を出力する。
【００３２】
第１ＡＮＤゲート４４の出力は第１のＲＳ・フリップフロップ５１のセット端Ｓに接続され、同様に、第２ＡＮＤゲート４５は第２のＲＳ・フリップフロップ５２のセット端Ｓに、第３ＡＮＤゲート４６は第３のＲＳ・フリップフロップ５３のセット端Ｓに接続されている。また、第１〜第３のＲＳ・フリップフロップ５１〜５３の各リセット端Ｒには３２分周回路４３の出力端が接続され、この出力端から出力されるパルスの立ち上がりによって第１〜第３のＲＳ・フリップフロップ５１〜５３はリセットされる。
【００３３】
第１のＲＳ・フリップフロップ５１の出力端Ｑは、図３に示すような４段のＤ・フリップフロップ５３ａ〜５３ｄからなるシフトレジスタ６０の入力端に接続されている。各段のＤ・フリップフロップ５３ａ〜５３ｄの一方の出力端Ｑはそれぞれ第４ＡＮＤゲート５４の入力端に接続され、他方の出力端Ｑバーはそれぞれ第５ＡＮＤゲート５５の入力端に接続されている。さらに、第４ＡＮＤゲート５４の出力端は第４のＲＳ・フリップフロップ５６のセット端Ｓに接続され、第５ＡＮＤゲート５５の出力端は第４のＲＳ・フリップフロップ５６のリセット端Ｒに接続されている。シフトレジスタ６０において初段から３段のＤ・フリップフロップ５３ａ〜５３ｃの出力端Ｑはそれぞれ次段のＤ・フリップフロップ５３ｂ〜５３ｄのデータ入力端Ｄに接続され、また、各段のＤ・フリップフロップ５３ａ〜５３ｄのクロック端Ｃには３２分周回路４３の出力端が接続される。なお、第４のＲＳ・フリップフロップ５６は、シフトレジスタ６０にＬレベルの信号が４回連続して入力することによりリセットされる。
【００３４】
また、図２に示した第１〜第３のＲＳ・フリップフロップ５１〜５３の各出力端Ｑは、それぞれ図３に示した第６ＡＮＤゲート５７と第１ＮＯＲゲート５８のそれぞれの入力端に接続され、第６ＡＮＤゲート５７と第１ＮＯＲゲート５８の出力端はそれぞれＯＲゲート５９の入力端に接続されている。
【００３５】
ＯＲゲート５９の出力端は、図４に示すように第２ＮＯＲゲート６３の入力端に接続され、さらに、第２ＮＯＲゲート６３の出力端は第１インバータ６４、第７、第８ＡＮＤゲート６１，６２のそれぞれの入力端に接続されている。また、第２ＮＯＲゲート６３の入力端にはさらに副チャネル信号処理回路２０の出力端とクロックジェネレータ３６の出力端がそれぞれ第２、第３インバータ６３ａ，６３ｂを介して接続されている。これにより、副チャネル処理回路２０からの出力とクロックジェネレータ３６の出力のいずれかがＬレベルの場合でも第１インバータ６４からモノラルモードを示すＨレベル信号が出力されるように構成されている。また、第７ＡＮＤゲート６１の入力端には図３に示した第４のＲＳ・フリップフロップ５６の出力端Ｑバーが接続され、さらに第８ＡＮＤゲート６２の入力端には第４のＲＳ・フリップフロップ５６の出力端Ｑが接続されている。
【００３６】
図４に示した第１インバータ６４、第７ＡＮＤゲート６１、第８ＡＮＤゲート６２の出力はそれぞれ制御信号sigとして図１に示すコントロール回路１に出力される。この場合、第１インバータ６４の出力信号はモノラルモードでＨレベルとなり、また、第７ＡＮＤゲート６１の出力信号はステレオモードでＨレベルとなり、さらに、第８ＡＮＤゲート６２の出力信号はバイリンガルモードでＨレベルとなる。
【００３７】
また、第２ＮＯＲゲート６３の出力信号は図２に示したカウンタ４１の端子Ｑ2 に接続される第１スイッチング回路４７の制御信号Ｓ１として出力され、第２ＮＯＲゲート６３からＨレベル信号を出力することにより第１スイッチング回路４７がＯＮする。また、第８ＡＮＤゲート６２の出力信号は第４インバータ６５を介して第２スイッチング回路４８の制御信号Ｓ２として出力され、第８ＡＮＤゲート６２からＬレベルの信号が出力されることにより第２スイッチング回路４８はＯＮになる。
【００３８】
以上のようなカウンタ４１、２分周回路４２、３２分周回路４３、第１、第２、第３ＡＮＤゲート４４，４５，４６及び第１〜第３のＲＳ・フリップフロップ５１〜５３は、ＣＵＥ信号判別回路３５のステレオ・バイリンガル判別部を構成し、また、第１、第２スイッチング回路４７，４８はＣＵＥ信号判別回路３５の基準周波制御部を構成し、シフトレジスタ６０、第４，第５ＡＮＤゲート５４，５５及び第４のＲＳ・フリップフロップ５６はＣＵＥ信号判別回路３５のデータ訂正部を構成し、第６ＡＮＤゲート５７、第１ＮＯＲゲート５８及びＯＲゲート５９はモノラル判別部を構成し、さらに、第２ＮＯＲゲート６３、第１インバータ６４、第７、第８ＡＮＤゲート６１，６２はＣＵＥ信号判別回路３５の出力調整部を構成している。
【００３９】
次に、上記の音声多重復調回路の動作を説明する。
【００４０】
図１において、制御チャネル信号が含まれていない音声信号が入力端ＩＮに入力すると、ＣＵＥ信号処理回路３０では第１バンドパスフィルタ３１及びクロックジェネレータ３６から信号が出力されない状態になる。これによりＣＵＥ信号処理回路３０内では、図２に示したカウンタ４１のクロック端ＣＫにはクロック信号が入力せず、その出力端Ｑ10〜Ｑ1に接続された第１〜第３ＡＮＤゲート４４〜４６の出力信号はＬレベルとなり、その信号が入力される第１〜第３のＲＳ・フリップフロップ５１〜５３の出力端Ｑの出力信号ＯＵＴ１，ＯＵＴ２，ＯＵＴ３もＬレベルとなる。
【００４１】
従って、図３に示すように、第１のＲＳ・フリップフロップ５１から出力された信号は、シフトレジスタ６０、第４、第５ＡＮＤゲート５４，５５を介して第４のＲＳ・フリップフロップ５６に入力し、さらにその出力端ＱからＬレベルの信号ＢＩが出力される一方、その出力端ＱバーからＨレベルの信号ＳＴが出力される。また、第１〜第３のＲＳ・フリップフロップ５１〜５３に接続された第１ＮＯＲゲート５８からＨレベルの信号がＯＲゲート５９に入力し、そのＯＲゲート５９からＨレベルのモノラル制御信号ＭＯＮが出力される。これにより、図４に示す第２のＮＯＲゲート６３の出力はＬレベルになって第１インバータ６４を介してＨレベルのモノラルモード信号が図１に示すコントロール回路１に出力される。そして、Ｈレベルのモノラルモード信号が入力されたコントロール回路１は、マトリクス２の出力を制御して主チャネル信号だけを出力させる。さらに、図４に示す第２のＮＯＲゲート６３から出力されたＬレベルの信号は図２に示す第１スイッチング回路４７をＯＦＦ状態にし、また、第８ＡＮＤゲート６２の次段の第４インバータ６５から出力されたＨレベルの信号は第２スイッチング回路４８をＯＮ状態にする。この結果、第１ＡＮＤゲート４４は、カウンタ４１の出力端Ｑ10〜Ｑ1が‘１１１００１１１０１’となった時にＨレベルの信号を第１のＲＳ・フリップフロップ５１に出力できるような状態となる。この場合、基準周波数ｆbは９５２．５Ｈｚに設定されることになる。
【００４２】
なお、音声多重復調回路の入力端ＩＮにモノラル信号が入力すると、副チャンネル信号処理回路２０から副チャネル信号は出力されない。
【００４３】
続いて、音声多重復調回路の入力信号がモノラル音声信号から音声多重信号に変わると、主チャネル信号、副チャネル信号及びＣＵＥ信号が主チャネル処理回路１０、副チャネル処理回路２０及びＣＵＥ信号処理回路３０に入力する。
【００４４】
そして、ＣＵＥ信号処理回路３０では、制御チャネル信号が第１バンドパスフィルタ３１により抽出され、さらにＡＭ復調回路３２により復調される。これにより、ＡＭ復調回路３２からは、周波数ｆcueが原則的に９８２．５Ｈｚ又は９２２．５Ｈｚの正弦波信号となるＣＵＥ信号が出力される。そして、ＡＭ復調回路３２から出力されたＣＵＥ信号は、第２バンドパスフィルタ３３を通ってノイズ等が除去され、さらにコンパレータ３４により矩形波に変換されてＣＵＥ信号判別回路３５に入力する。
【００４５】
ＣＵＥ信号判別回路３５では、クロックジェネレータ３６からのクロック信号ｆckが２分周回路４２により２分周されてカウンタ４１のクロック端ＣＫに入力する。この場合、カウンタの端子Ｑ2に接続される第１スイッチング回路４７がＯＦＦ状態、カウンタの端子Ｑ3に接続される第２スイッチング回路４８がＯＮ状態となっているので、クロックジェネレータ３６からの出力が‘１１１００１１１０１’となれば第１ＡＮＤゲート４４からＨレベルの信号が出力される。
【００４６】
ここで、コンパレータ３４から３２分周回路４３に入力するＣＵＥ信号の周波数ｆcueが９５２．６Ｈｚよりも低い周波数、例えばバイリンガルモードである９２２．５Ｈｚになるとする。
【００４７】
この場合には、３２分周回路４３から出力される信号によりカウンタ４１がリセットされる前にカウンタ４１からの出力が‘１１１００１１１０１’となり、第１ＡＮＤゲート４４から第１のＲＳ・フリップフロップ５１への出力信号がＨレベルとなり、その後に、３２分周回路４３からの信号によりカウンタ４１及び第１のＲＳ・フリップフロップ５１はリセットされる。このＨレベルの信号が第１ＡＮＤゲート４４から４回連続して出力されると、図３に示すシフトレジスタ６０に接続された第４ＡＮＤゲート５４からＨレベル信号が出力され、第５ＡＮＤゲート５５からＬレベル信号が出力され、それらの信号が入力される第４のＲＳ・フリップフロップ５６の一方の出力端ＱからはＨレベルのバイリンガルモード信号ＢＩが出力され、図４に示す第８ＡＮＤゲート６２の入力端の一方にＨレベル信号が入力する。
【００４８】
また、図２に示す第１、第２ＡＮＤゲート４４，４５の出力信号がＨレベル、第３ＡＮＤゲート４６の出力信号がＬレベルになるので、これらの出力信号を入力する図３に示す第６ＡＮＤゲート５７からの出力はＬレベルになり、次段のＯＲゲート５９からの信号ＭＯＮはＬレベルとなり、この結果、図４に示す第２ＮＯＲゲート６３の出力信号はＨレベルになって第８ＡＮＤゲート６２に入力する。なお、第２ＮＯＲゲート６３にインバータ６３ａ，６３ｂを介して入力する副チャネル信号とクロック信号ＣＬＫはともにＨレベルである。
【００４９】
従って、第８ＡＮＤゲート６２からＨレベルのバイリンガルモード信号が図１に示すコントロール回路１に入力される。そして、コントロール回路１は、マトリクス２に入力する主チャネル信号を左チャネルから出力させ、副チャネル信号を右チャネルから出力させるように制御する。
【００５０】
また、第８ＡＮＤゲート６２からＨレベル信号が出力されると、この信号は第４インバータ６５を介して第２スイッチング回路４８をＯＦＦにする。さらに、第２ＮＯＲゲート６３からのＨレベル信号により第１スイッチング回路４７はＯＮになる。この結果、第１ＡＮＤゲート４４は、カウンタ４１の出力端Ｇ10〜Ｇ1が‘１１１００１１０１１’になった時点でＨレベル信号を出力するようになる。これにより、ＣＵＥ信号のモード判別の基準周波数は９５２．６Ｈｚから９５４．６Ｈｚにシフトするので、弱電界時、外乱等によりＣＵＥ信号の周波数が乱れて９５２．５Ｈｚになったとしても、バイリンガルモードが保持される。
【００５１】
また、音声多重復調回路への入力信号がモノラルモードからステレオモードに変わって、ＣＵＥ信号の周波数ｆcueが９５２．５Ｈｚよりも高い周波数、例えばステレオモードである９８２．５Ｈｚになるとする。
【００５２】
この場合には、カウンタ４１の出力端Ｑ10〜Ｑ1の出力は初期の‘１１１００１１１０１’となる前に３２分周回路４３によりリセットされるので、第１ＡＮＤゲート４４から第１のＲＳ・フリップフロップ５１への出力信号がＬレベルとなる。このＬレベルの信号が第１ＡＮＤゲート４４から４回連続して出力されると、図３に示すシフトレジスタ６０に接続された第４ＡＮＤゲート５４からＬレベル信号が出力され、第５ＡＮＤゲート５５からＨレベル信号が出力されるので、それらの信号を入力する第４のＲＳ・フリップフロップ５６の出力端ＱバーからはＨレベルの信号ＳＴが出力されて図４に示す第７ＡＮＤゲート６１からＨレベル信号のステレオモード信号がコントロール回路１に出力される。なお、第７ＡＮＤゲート６１に入力する第２ＮＯＲゲート６３の出力信号はＨレベルである。
【００５３】
第７ＡＮＤゲート６１からＨレベルのステレオモード信号ＳＴがコントロール回路１に出力されると、コントロール回路１は、マトリクス２に入力する主チャネル信号と副チャネル信号の和を左チャネルから出力させ、また、主チャネル信号と副チャネル信号の差を右チャネルから出力させるように制御する。
【００５４】
この状態では、第４のＲＳ・フリップフロップ５６の出力端ＱからＬレベルの信号ＢＩが出力されるので、第８ＡＮＤゲート６２からＬレベル信号が出力され、これにより第４インバータ６５を介して接続される第２スイッチング回路４８はＯＮになる。さらに、第２ＮＯＲゲート６３からのＨレベル信号により第１スイッチング回路４７はＯＮになる。この結果、第１ＡＮＤゲート４４は、カウンタ４１の出力端Ｑ10〜Ｑ1が‘１１１００１１１１１’になった時点でＨレベル信号を出力するようになる。これにより、ＣＵＥ信号のモード判別の基準周波数は９５２．５Ｈｚから９５０Ｈｚにシフトするので、弱電界時、外乱等によりＣＵＥ信号の周波数が乱れて９５２．５Ｈｚになったとしても、ステレオモードが保持される。
【００５５】
以上のような動作は、ＣＵＥ信号がバイリンガルモードからステレオモードに変更される場合にも同様であり、この場合には第１ＡＮＤゲート４４からＨレベル信号を出力させるためのカウント数は‘１１１００１１０１１’から‘１１１００１１１１１’に変更される。
【００５６】
また、ＣＵＥ信号がステレオモードからバイリンガルモードに変更される場合には、第１ＡＮＤゲート４４からＨレベル信号を出力させるためのカウント数は‘１１１００１１１１１’から‘１１１００１１０１１’に変更される。
【００５７】
ところで、第２ＡＮＤゲート４５は、ＣＵＥ信号の周波数ｆcueが何らかの原因により大きく乱れて８６１Ｈｚ以下になった場合に、カウンタ４１がリセットされる前にＨレベル信号を出力するように構成されている。この場合、第１ＡＮＤゲート４４、第３ＡＮＤゲート４６からもＨレベル信号が出力されるので、図３に示す第６ＡＮＤゲート５７とその後段のＮＯＲゲート５９からＨレベル信号が出力されてモノラルモードに強制的にモード変更される。
【００５８】
また、第３ＡＮＤゲート４６は、ＣＵＥ信号の周波数ｆcueが何らかの原因により大きく乱れて１０４０Ｈｚ以上になった場合に、Ｌレベル信号を維持するように構成されている。この場合、第１ＡＮＤゲート４４、第２ＡＮＤゲート４５からもＬレベル信号が出力されるので、図３に示す第２ＮＯＲゲート５８とその次段のＮＯＲゲート５９からＨレベル信号が出力されてモノラルモードに強制的にモード変更される。
【００５９】
従って、本実施形態においては、ＣＵＥ信号判別回路３５に入力するＣＵＥ信号の周波数ｆcueが１０４０Ｈｚから８６１Ｈｚの範囲でステレオモードかバイリンガルモードかを第１ＡＮＤゲート４４により判別してコントロール回路１にステレオモード信号又はバイリンガルモード信号を出力するとともに、その範囲から外れた場合には、本来的にモノラルモードでなくても強制的にモノラルモード信号をコントロール回路１に出力するように構成されている。
【００６０】
以上のように、音声多重信号がモノラルモードからバイリンガルモードに切り替わった後には、図６（ａ）に示すように、スイッチング回路４７，４８のＯＮ、ＯＦＦを制御してカウンタ４１及び第１ＡＮＤゲート４４による基準周波数ｆb を初期値である９５２．５Ｈｚから９５５Ｈｚへと上にシフトさせてバイリンガルモードの判別の範囲を広げている。また、ステレオモードからバイリンガルモードに切り替わった後にも、スイッチング回路４７，４８のＯＮ、ＯＦＦを制御してカウンタ４１及び第１ＡＮＤゲート４４による基準周波数ｆbを９５０Ｈｚから９５５Ｈｚへと大幅にシフトさせてバイリンガルモードの判別の範囲を広げている。
【００６１】
一方、音声多重信号がモノラルモードからステレオモードに切り替わった後には、図６（ｂ）に示すように、スイッチング回路４７，４８のＯＮ、ＯＦＦを制御してカウンタ４１及び第１ＡＮＤゲート４４による基準周波数ｆb を初期値である９５２．５Ｈｚから９５０Ｈｚへと下にシフトさせてステレオモードの判別の範囲を広げている。また、バイリンガルモードからステレオモードに切り替わった後にも、スイッチング回路４７，４８のＯＮ、ＯＦＦを制御してカウンタ４１及び第１ＡＮＤゲート４４による基準周波数ｆb を９５５Ｈｚから９５０Ｈｚへと大幅にシフトさせてステレオモードの判別の範囲を広げている。
【００６２】
上述したＣＵＥ信号判別回路３５によれば、マトリクス２を制御するためのコントロール回路１にはステレオモード信号、バイリンガルモード信号が安定して入力することになり、最終的にスピーカーから出力される音を安定させて視聴者の不快感を少なくすることが可能になる。
なお、上述の構成では、バイリンガルモード時の基準周波数ｆbを９５５Ｈｚ、ステレオモード時の基準周波数ｆbを９５０Ｈｚに設定して、それぞれの判別の周波数範囲を拡大したが、両モードでの基準周波数ｆbは他の値に設定することもできる。例えば、バイリンガルモード時の基準周波数ｆbを９６０Ｈｚ又はそれ以上、ステレオモード時の基準周波数ｆbを９４５Ｈｚ又はそれ以下に設定してもよい。
【図面の簡単な説明】
【００６３】
【図１】本発明の実施形態に係る音声多重復調回路を示すブロック図である。
【図２】本発明の実施形態に係る音声多重復調回路のＣＵＥ信号判別回路の一例を示す回路図（その１）である。
【図３】本発明の実施形態に係る音声多重復調回路のＣＵＥ信号判別回路の一例を示す回路図（その２）である。
【図４】本発明の実施形態に係る音声多重復調回路のＣＵＥ信号判別回路の一例を示す回路図（その３）である。
【図５】本発明の実施形態に係る音声多重復調回路のＣＵＥ信号判別回路における基準信号とカウント数の関係を示す波形図である。
【図６】本発明の実施形態に係る音声多重復調回路のＣＵＥ信号判別回路の基準周波数とモードの関係を示す図である。
【図７】従来例に係る音声多重復調回路のブロック図である。
【図８】従来例に係る音声多重復調回路のＣＵＥ信号判別回路の基準周波数とモードの関係を示す図である。
【符号の説明】
【００６４】
１  コントロール回路、２  マトリクス、１０  主チャネル信号処理回路、１１  ローパスフィルタ、１２，２３  デエンファシス回路、２０  副チャネル信号処理回路、２１，３１，３３  バンドパスフィルタ、２２  ＦＭ復調回路、３０  ＣＵＥ信号処理回路、３２  ＡＭ復調回路、３４  コンパレータ、３５  ＣＵＥ信号判別回路、３６  クロックジェネレータ、４１  カウンタ、４２  ２分周回路、４３  ３２分周回路、４４，４５，４６，５４，５５，５７，６１，６２  ＡＮＤゲート、４７，４８  スイッチング回路、４９，５０  抵抗素子、５１，５２，５３，５６  ＲＳ・フリップフロップ、５８，６３  ＮＯＲゲート、５９  ＯＲゲート、６０  シフトレジスタ、６４，６５  インバータ。
【図１】
2006115133.tif 000003
【図２】
2006115133.tif 000004
【図３】
2006115133.tif 000005
【図４】
2006115133.tif 000006
【図５】
2006115133.tif 000007
【図６】
2006115133.tif 000008
【図７】
2006115133.tif 000009
【図８】
2006115133.tif 000010